(57)【要約】      （修正有）【課題】利用者が金融機関において予め口座を開設することなく、キャッシュカードや通帳等を所持していなくても、自動取引装置の一時預り取引を利用することにより現金を一時預け入れ、払い出すことができる自動取引装置を提供する。【解決手段】利用者の操作により入出金部２３に投入された現金を計数して収納し、該計数した金額と利用者操作表示部２１で入力した本人認証情報を対応付けた一時預りデータベースを記憶部２５１に記憶して一時預り取引を行なうことを特徴とする。  また、利用者が当該自動取引装置１の利用者操作表示部２１で入力した本人認証情報に基づいて記憶部２５１に記憶した一時預りデータベースを検索して該本人認証情報に対応付けられた預入れ金額を抽出し、現金を入出金部２３の金庫から払い出し取引を行なうことを特徴とする。【選択図】図２
2006209423.tif 000002
【特許請求の範囲】
【請求項１】
利用者の操作により入出金部に投入された現金を計数して収納し、該計数した金額と利用者操作表示部で入力した本人認証情報を対応付けた一時預りデータベースを記憶部に記憶して一時預り取引を行なうことを特徴とする自動取引装置。
【請求項２】
請求項１において、
利用者が当該自動取引装置の利用者操作表示部で入力した本人認証情報に基づいて記憶部に記憶した一時預りデータベースを検索して該本人認証情報に対応付けられた預入れ金額を抽出し、現金を入出金部の金庫から払い出し取引を行なうことを特徴とする自動取引装置。
【請求項３】
利用者の操作により入出金部に投入された現金を計数して収納し、該計数した金額と利用者操作表示部で入力した本人認証情報を一時預り金額管理コンピュータへ送信し、該金額管理コンピュータが該計数した金額と該本人認証情報を対応付けて一時預りデータベースに記憶して一時預り取引を行なうことを特徴とする自動取引装置。
【請求項４】
請求項３において、
利用者が利用者操作表示部で入力した本人認証情報を一時預り金額管理コンピュータへ送信し、一時預り金額管理コンピュータが受信した該本人認証情報に基づいて一時預りデータベースを検索して該本人認証情報に対応付けられた預入れ金額を抽出し、該預入れ金額を一時預り金額管理コンピュータから受信して現金を入出金部の金庫から払い出し取引を行なうことを特徴とする自動取引装置。
【請求項５】
請求項１、請求項２、請求項３または請求項４の自動取引装置において、
前記本人認証情報を、氏名、連絡先および暗証番号にしたことを特徴とする自動取引装置。
【請求項６】
請求項１から請求項４または請求項５の自動取引装置において、
取引内容を印刷した明細票を発行することを特徴とする自動取引装置。
【請求項７】
請求項５または請求項６の自動取引装置において、
利用者操作表示部で入力した利用者の氏名または連絡先等を記録したカードを発行することを特徴とする自動取引装置。
【請求項８】
請求項５、請求項６または請求項７の自動取引装置において、
前記本人認証情報の氏名または連絡先をカードから読取ることを特徴とする自動取引装置。
【発明の詳細な説明】
【技術分野】
【０００１】
本発明は、自動取引装置に関し、特に、利用者が所持する現金を一時、預入れる機能および預け入れた現金を払い出す機能を有する自動取引装置に関する。
【背景技術】
【０００２】
従来の自動取引装置は、銀行等の金融機関やコンビニエンスストア等に設置され、利用者が操作することにより、既に開設した自己の口座が登録されたホストコンピュータとの間で情報をやりとりし、現金の入金や出金等の取引を行なっている。利用者がこの自動取引装置で現金の入金や出金等の取引を行なうときはキャッシュカードや通帳の磁気ストライプ等に記録された口座番号等を自動取引装置で読み取り取引の対象となる口座を特定している。したがって、利用者は予め金融機関等に口座を開設しておき、その口座番号等が記録されたキャッシュカードや通帳を使用して自動取引装置で入金や出金の取引を行なっている。
【０００３】
また、マンションや企業等に設置され、ホストコンピュータとの通信を必要とせず利用者が既に開設した口座に対してキャッシュカードから読取った口座番号等により口座を特定して入金や出金の取引を行なう共同利用金庫が提案されている（例えば、特許文献１参照）。
【特許文献１】特開２００４−５４６０２号公報（段落「０００５」〜段落「００１６」、図２）
【発明の開示】
【発明が解決しようとする課題】
【０００４】
しかしながら、上述した従来の技術においては、利用者が自動取引装置や共同利用金庫を利用して現金の入金や出金の取引を行なう場合、金融機関において予め口座を開設する必要があり金融機関等に口座を開設していない者は自動取引装置等を利用することができないという問題がある。
また、利用者が自動取引装置や共同利用金庫を利用して現金の入金や出金の取引を行なう場合、自己の口座を特定するキャッシュカードや通帳等が必要であり、既に金融機関に口座を開設した者であってもキャッシュカードを所持していないときは自動取引装置等を利用することができないという問題がある。
【０００５】
本発明は、このような問題を解決することを課題とする。
【課題を解決するための手段】
【０００６】
そのため、本発明は、利用者の操作により入出金部に投入された現金を計数して収納し、該計数した金額と利用者操作表示部で入力した本人認証情報を対応付けた一時預りデータベースを記憶部に記憶して一時預り取引を行なうことを特徴とする。
また、利用者が当該自動取引装置の利用者操作表示部で入力した本人認証情報に基づいて記憶部に記憶した一時預りデータベースを検索して該本人認証情報に対応付けられた預入れ金額を抽出し、現金を入出金部の金庫から払い出し取引を行なうことを特徴とする。
【発明の効果】
【０００７】
このようにした本発明は、利用者が金融機関において予め口座を開設することなく、自動取引装置の一時預り取引を利用することにより現金を一時預け入れることができ、また、その預け入れた現金を払い出すことができるという効果が得られる。
また、利用者はキャッシュカードや通帳等を所持していなくても、自動取引装置の一時預り取引を利用することにより現金を一時預け入れることができ、また、その預け入れた現金を払い出すことができるという効果が得られる。
【発明を実施するための最良の形態】
【０００８】
以下、図面を参照して本発明による自動取引装置の実施例を説明する。
【実施例】
【０００９】
図１は第１の実施例を示すシステム構成のブロック図、図２は第１の実施例を示す自動取引装置のブロック図、図３は第１の実施例を示す一時預りデータベースの説明図である。
図１において、１は自動取引装置であり、銀行等の金融機関またはコンビニエンスストア等に設置されるものである。この自動取引装置１は利用者の操作により現金の入金取引、出金取引、一時預り取引および振込み取引等ができるものである。
【００１０】
ここで、一時預り取引とは、金融機関に開設した口座を必要とすることなく、一時的に自動取引装置１に現金を預入れ、その預け入れた現金を払い出すことができる取引である。
また、この自動取引装置１は専用回線２に通信可能に接続されている。
３はホストコンピュータであり、銀行等の金融機関の事務センタ等に設置される。このホストコンピュータ３は自動取引装置１で利用者の口座への入金および利用者の口座からの出金等の取引を行なう場合、自動取引装置１との間で入金、出金等の取引電文の送受信を行い利用者の取引を成立させるか否かを判断する。しかし、利用者が行う取引が一時預り取引の場合、自動取引装置１はホストコンピュータ３へ取引電文の送受信を行うことなく自動取引装置１において取引を成立させる。
【００１１】
なお、ホストコンピュータ３は専用回線２を介して１台または２台以上の自動取引装置１と相互に通信可能に接続されている。また、ホストコンピュータ３は専用回線２を介して接続された自動取引装置１の一時預り取引を除く現金残高等を管理する。
図２において、自動取引装置１は利用者操作表示部２１、カードリーダプリンタ部２２、入出金部２３、通帳部２４および制御部２５を備えている。
【００１２】
利用者操作表示部２１は、ＣＲＴディスプレイや液晶ディスプレイ等の表示部上にタッチパネルを配置し利用者が入力操作等を行なうものであり、また、取引選択画面、利用者が選択した取引に対して利用者の入力操作等の誘導を行なう画面および入力された情報等を表示するものである。
カードリーダプリンタ部２２は、利用者がカード挿入口から挿入したカードの磁気ストライプまたはＩＣチップ等から名前および連絡先等の利用者情報を読取りまたは磁気ストライプ等に記録し、また、利用者がした取引の内容を明細票に印刷するものである。利用者情報を読取ったカードはカード排出口から排出して利用者に返却し、また、取引内容を印刷した明細票は明細票排出口から排出して利用者に発行する。
【００１３】
さらに、カードリーダプリンタ部２２は新たなカードを発行する機能を有し、利用者が利用者操作表示部２１から入力した名前および連絡先等の利用者情報をカードスタッカから繰り出したカードの磁気ストライプ等に記録し、そのカードをカード排出口から排出して利用者に渡すことができる。
入出金部２３は、紙幣入出金機および硬貨入出金機で構成され、取引に伴う紙幣や硬貨の入出金処理を行なうものである。ここで、入金処理とは利用者が紙幣入出金口に入れた紙幣を紙幣入出金機で計数して金庫に収納し、硬貨入出金口に入れた硬貨を硬貨入出金機で計数して金庫に収納することである。また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００１４】
通帳部２４は、利用者が挿入した通帳の磁気ストライプから名前および連絡先等の利用者情報を読み取り、また、通帳に取引内容等を印刷するものである。利用者情報を読取り、また、取引内容等を印刷した通帳は通帳排出口から排出して利用者に返却する。
２５は制御部であり、記憶部２５１、取引処理部２５２、通信部２５３等で構成されている。この制御部２５は利用者操作表示部２１、カードリーダプリンタ部２２、入出金部２３および通帳部２４を含めて自動取引装置１全体の動作を記憶部２５１に格納されたソフトウェアに基づいて制御する。
【００１５】
記憶部２５１は、半導体メモリや磁気ディスク等で構成されデータを格納して記憶および記憶したデータを読取ることができるものである。また、この記憶部２５１には一時預り取引において使用する一時預りデータベースを記憶する。
取引処理部２５２は利用者が行う入金、出金、一時預入れおよび振込み等の取引を既定の手順にしたがって実行する手段である。
【００１６】
通信部２５３は専用回線２を介して接続されたホストコンピュータ３等との入金、出金等の取引電文等の送受信を制御するものである。
図３において、３０は一時預りデータベースであり、氏名３１、連絡先３２、暗証番号３３および預入れ金額３４で構成される。
氏名３１は利用者の氏名であり、一時預り取引の中で入力したものである。
【００１７】
連絡先３２は利用者の電話番号等であり、一時預り取引の中で入力したものである。
暗証番号３３は利用者が一時預り取引の中で設定したものである。したがって、利用者が金融機関に口座を有する場合、その口座に登録した暗証番号とは異なるものであってもよい。
預入れ金額３４は利用者が一時預り取引の中で入金した金額である。
【００１８】
この一時預りデータベース３０は利用者が一時預り取引の入金操作で入力した氏名３１、連絡先３２ならびに暗証番号３３の本人認証情報および入金した預入れ金額３４を記憶し、また、利用者が一時預り取引の出金操作で入力した本人認証情報と記憶した本人認証情報が一致するかを確認するために使用される。この本人認証情報が一致したときは預入れ金額３４に相当する現金の支払いを行う。
【００１９】
上述した構成の作用について図４の第１の実施例を示す一時預り取引の入金処理手順のフローチャートおよび図１３の第１の実施例を示す一時預り取引の出金処理手順のフローチャートのＳに示すステップにしたがって説明する。なお、以下に説明する各部の動作は、図示しない記憶部に格納されたプログラム（ソフトウェア）に基づいて図示しない制御部により制御される。
【００２０】
まず、現金の入金処理手順について説明する。
Ｓ３０１：自動取引装置１の制御部２５は利用者が接近したことを図示しないセンサにより検知すると利用者操作表示部２１に、図５に示す取引選択画面を表示する。この取引選択画面には「通帳記入」、「お預入れ」、「お支払い」、「お振込み」等の取引選択ボタンとともに「一時預り」の取引選択ボタンが表示される。利用者が取引選択画面に表示された「一時預り」ボタンを押下すると利用者操作表示部２１は該ボタンが押下されたことを検知して取引処理部２５２は一時預り取引を開始する。
【００２１】
Ｓ３０２：取引処理部２５２は一時預り取引を開始すると利用者操作表示部２１に、図６に示す入金または出金選択画面を表示する。この入金または出金選択画面には「お預入れ」、「お支払い」の取引選択ボタンおよび取消キーを表示する。利用者が入金または出金選択画面に表示された「お預入れ」ボタンを押下すると利用者操作表示部２１は該ボタンが押下されたことを検知して取引処理部２５２は入金処理を開始する。
【００２２】
Ｓ３０３：取引処理部２５２が入金処理を開始すると利用者操作表示部２１に、図７に示す名前入力画面を表示する。この名前入力画面にはカタカナキー、濁点キー、半濁点キー、取消キー、訂正キーならびに確認キーおよび利用者が入力した文字を表示する領域が表示される。利用者はカタカナキー等を押下して名前を入力し、入力した名前が正しいことを確認した後、確認キーを押下する。
【００２３】
なお、本取引において取消キーは本取引を終了する場合に押下するキーであり、訂正キーは入力した文字を訂正する場合に押下するキーである。
Ｓ３０４：利用者操作表示部２１で確認キーが押下されたことを検知すると取引処理部２５２は利用者操作表示部２１に、図８に示す連絡先入力画面を表示する。この連絡先入力画面には０から９までの数字キー、ハイフンキー、訂正キー、取消キーならびに確認キーおよび利用者が入力した数字等を表示する領域が表示される。利用者は数字キー等を押下して連絡先を入力し、入力した連絡先が正しいことを確認した後、確認キーを押下する。
【００２４】
Ｓ３０５：利用者操作表示部２１で確認キーが押下されたことを検知すると取引処理部２５２は利用者操作表示部２１に、図９に示す暗証番号入力画面を表示する。この暗証番号入力画面には０から９までの数字キー、訂正キー、取消キーならびに確認キーおよび利用者が押下した数字キーに対応して「＊」を表示するふたつの領域が表示される。利用者は数字キー等を押下して暗証番号を２回入力し、その後確認キーを押下する。
【００２５】
ここで、利用者が入力したふたつの暗証番号が一致しないときはその旨を利用者操作表示部２１に表示し、再度の入力を利用者に促す。
Ｓ３０６：利用者操作表示部２１で確認キーが押下されたことを検知し、入力されたふたつの暗証番号が一致した場合、取引処理部２５２は利用者操作表示部２１に、図１０に示す現金挿入誘導画面を表示する。この現金挿入誘導画面には「預ける現金を挿入してください」等の誘導文言および取消キーを表示し、利用者に入出金部２３の図示しない紙幣入出金口および硬貨入出金口に現金を投入することを誘導する。
【００２６】
Ｓ３０７：利用者が紙幣入出金口および硬貨入出金口に現金を投入すると入出金部２３は投入された現金の計数を開始する。入出金部２３は鑑別部により紙幣および硬貨の金種等を鑑別し、計数を行う。この入出金部２３が行った計数の結果により、取引処理部２５２は利用者操作表示部２１に利用者が投入した現金の合計金額を表示する図１１に示す金額確認画面を表示する。この金額確認画面には利用者が投入した現金の合計金額、取消キーおよび確認キーを表示する。利用者は表示された金額を確認し、それが正しいときは確認キーを押下する。
【００２７】
利用者操作表示部２１で確認キーが押下されたことを検知すると取引処理部２５２は利用者により入力された名前を氏名３１に、電話番号等の連絡先を連絡先３２に、暗証番号を暗証番号３３に、計数した現金の合計金額を預入れ金額３４に格納し、一時預りデータベース３０として記憶部２５１に記憶する。
Ｓ３０８：また、利用者操作表示部２１で確認キーが押下されたことを検知すると取引処理部２５２はカードリーダプリンタ部２２で明細票に取引を行なった日付、時間、一時預り取引であることの取引種別、預入れ金額等の取引内容を印刷し、明細票排出口から排出するとともに、利用者操作表示部２１に、図１２に示す明細票受取り誘導画面を表示する。この明細票受取り誘導画面には「明細票をお取りください」等の文言を表示する。
【００２８】
ここで、利用者により入力された名前および電話番号等の連絡先を磁気ストライプ等に記録したカードをカードリーダプリンタ部２２が利用者に発行するようにしてもよい。
Ｓ３０９：利用者が排出された明細票を受取ると一時預り取引の入金を終了する。
次に現金の出金処理手順について説明する。
利用者は前述の入金処理手順で現金を入金した自動取引装置１に出向き以下の手順で入金した金額と同額の現金を出金する。
【００２９】
Ｓ１２０１：自動取引装置１の制御部２５は利用者が接近したことを図示しないセンサにより検知すると利用者操作表示部２１に、図５に示す取引選択画面を表示する。この取引選択画面には「通帳記入」、「お預入れ」、「お支払い」、「お振込み」等の取引選択ボタンとともに「一時預り」の取引選択ボタンが表示される。利用者が取引選択画面に表示された「一時預り」ボタンを押下すると利用者操作表示部２１は該ボタンが押下されたことを検知して取引処理部２５２は一時預り取引を開始する。
【００３０】
Ｓ１２０２：取引処理部２５２は一時預り取引を開始すると利用者操作表示部２１に、図６に示す入金または出金選択画面を表示する。この入金または出金選択画面には「お預入れ」、「お支払い」の取引選択ボタンおよび取消キーを表示する。利用者が入金または出金選択画面に表示された「お支払い」ボタンを押下すると利用者操作表示部２１は該ボタンが押下されたことを検知して取引処理部２５２は出金処理を開始する。
【００３１】
Ｓ１２０３：取引処理部２５２が出金処理を開始すると利用者操作表示部２１に、図７に示す名前入力画面を表示する。この名前入力画面にはカタカナキー、濁点キー、半濁点キー、取消キー、訂正キーならびに確認キーおよび利用者が入力した文字を表示する領域が表示される。利用者はカタカナキー等を押下して名前を入力し、入力した名前が正しいことを確認した後確認キーを押下する。
【００３２】
なお、本取引において取消キーは本取引を終了する場合に押下するキーであり、訂正キーは入力した文字を訂正する場合に押下するキーである。
Ｓ１２０４：利用者操作表示部２１で確認キーが押下されたことを検知すると取引処理部２５２は利用者操作表示部２１に、図８に示す連絡先入力画面を表示する。この連絡先入力画面には０から９までの数字キー、ハイフンキー、訂正キー、取消キーならびに確認キーおよび利用者が入力した数字等を表示する領域が表示される。利用者は数字キー等を押下して連絡先を入力し、入力した連絡先が正しいことを確認した後、確認キーを押下する。
【００３３】
ここで、利用者にＳ１２０３で名前およびＳ１２０４で連絡先を入力させることなく、前述した入金処理のＳ３０８で発行したカードをカードリーダプリンタ部２２のカード挿入口に挿入して、磁気ストライプ等に記録された名前および連絡先を読取るようにしてもよい。この場合、取引処理部２５２はカードリーダプリンタ部２２でカードから読取った名前および連絡先を利用者操作表示部２１に表示して、利用者は表示された名前および連絡先が正しいことを確認した後、確認キーを押下する。
【００３４】
Ｓ１２０５：利用者操作表示部２１で確認キーが押下されたことを検知すると取引処理部２５２は利用者操作表示部２１に、図１４に示す暗証番号入力画面を表示する。この暗証番号入力画面には０から９までの数字キー、訂正キー、取消キーならびに確認キーおよび利用者が押下した数字キーに対応して「＊」を表示する領域が表示される。利用者は数字キー等を押下して暗証番号を入力し、その後確認キーを押下する。
【００３５】
Ｓ１２０６：利用者操作表示部２１で確認キーが押下されたことを検知すると取引処理部２５２は利用者操作表示部２１に、図１５に示す出金金額確認画面を表示する。ここで、取引処理部２５２は利用者が利用者操作表示部２１から入力した名前、連絡先および暗証番号に基づいて記憶部２５１に記憶した一時預りデータベース３０の氏名３１、連絡先３２および暗証番号３３を検索する。検索した結果、一致したときは出金金額確認画面に預入れ金額３４に記憶した金額を抽出して出金金額確認画面に表示し、利用者は表示された金額が正しいことを確認し、その後確認キーを押下する。
【００３６】
なお、一致しないとき、取引処理部２５２は利用者操作表示部２１に預入金がない旨の文言を表示して本取引を終了する。
Ｓ１２０７：利用者操作表示部２１で確認キーが押下されたことを検知すると取引処理部２５２は入出金部２３へ出金金額に相当する現金を出金することを通知する。通知を受けた入出金部２３は現金の計数を開始するとともに利用者操作表示部２１は図１６に示す現金計数中画面を表示する。この現金計数中画面には「ただいま現金を数えています。しばらくお待ちください」等の文言を表示する。入出金部２３は計数した紙幣および／または硬貨を紙幣入出金口および／または硬貨入出金口へ集積し、利用者へ排出する準備をする。
【００３７】
Ｓ１２０８：入出金部２３が現金の計数を終了すると取引処理部２５２はカードリーダプリンタ部２２で明細票に取引を行なった日付、時間、一時預り取引であることの取引種別、出金金額等の取引内容を印刷した後、明細票排出口から排出する。また、入出金部２３は紙幣入出金口および／または硬貨入出金口のシャッタを開き現金を排出する。この明細票および現金の排出とともに利用者操作表示部２１は図１７に示す現金および明細票受取り誘導画面を表示する。この現金および明細票受取り誘導画面には「現金と明細票をお取りください」等の文言を表示する。
【００３８】
ここで、現金および明細票を排出すると取引処理部２５２は記憶部２５１に記憶した一時預りデータベース３０の本取引に対応する氏名３１、連絡先３２、暗証番号３３および預入れ金額３４を記憶部２５１から消去する。
Ｓ１２０９：利用者が排出された現金および明細票を受取ると一時預り取引の出金を終了する。
【００３９】
なお、金融機関等はこの一時預り取引を提供するにあたり利用者から手数料を徴収してもよく、しなくてもどちらでもよい。手数料を徴収する場合は、入金処理時または出金処理時に徴収するようにすればよい。
また、本実施例では利用者が預け入れた現金を一度に払い出す例で説明したが、複数回に分割して払い出すようにしてもよい。
【００４０】
以上説明したように、第１の実施例では、利用者が金融機関において予め口座を開設することなく、自動取引装置の一時預り取引を利用することにより現金を一時預け入れることができ、また、その預け入れた現金を払い出すことができるという効果が得られる。
また、利用者はキャッシュカードや通帳等を所持していなくても、自動取引装置の一時預り取引を利用することにより現金を一時預け入れることができ、また、その預け入れた現金を払い出すことができるという効果が得られる。
【００４１】
さらに、一時預け入れた現金を預け入れた利用者以外の者が払い出すことも可能である。
図１８は本発明の第２の実施例を示すシステム構成のブロック図である。なお、上述した第１の実施例と同様の部分は、同一の符号を付してその説明を省略する。
図１８において、４は一時預り金額管理コンピュータであり、銀行等の金融機関の事務センタや店舗等に設置されるものである。この一時預り金額管理コンピュータ４は専用回線２を介してホストコンピュータ３および自動取引装置１と相互に通信可能に接続されている。また、記憶手段に備えたデータベースを所定のデータに基づいて検索および抽出することができ、その抽出したデータを自動取引装置１に送信することができる。
【００４２】
なお、一時預り金額管理コンピュータ４はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。
【００４３】
図２において、記憶部２５１は、半導体メモリや磁気ディスク等で構成されデータを格納して記憶および記憶したデータを読取ることができるものであることは第１の実施例と同様であるが、第２の実施例では記憶部２５１に一時預り取引において使用する一時預りデータベースを記憶しない。
図３に示す一時預りデータベース３０の構成は第１の実施例と同様であるが、一時預り金額管理コンピュータ４の記憶手段に記憶する。
【００４４】
上述した構成の作用について説明する。なお、以下に説明する各部の動作は、図示しない記憶部に格納されたプログラム（ソフトウェア）に基づいて図示しない制御部により制御される。
まず、現金の入金処理手順について説明する。
自動取引装置１の制御部２５は利用者が接近したことを図示しないセンサにより検知すると利用者操作表示部２１に、図５に示す取引選択画面を表示する。この取引選択画面には「通帳記入」、「お預入れ」、「お支払い」、「お振込み」等の取引選択ボタンとともに「一時預り」の取引選択ボタンが表示される。利用者が取引選択画面に表示された「一時預り」ボタンを押下すると利用者操作表示部２１は該ボタンが押下されたことを検知して取引処理部２５２は一時預り取引を開始する。
【００４５】
取引処理部２５２は一時預り取引を開始すると利用者操作表示部２１に、図６に示す入金または出金選択画面を表示する。この入金または出金選択画面には「お預入れ」、「お支払い」の取引選択ボタンおよび取消キーを表示する。利用者が入金または出金選択画面に表示された「お預入れ」ボタンを押下すると利用者操作表示部２１は該ボタンが押下されたことを検知して取引処理部２５２は入金処理を開始する。
【００４６】
取引処理部２５２が入金処理を開始すると利用者操作表示部２１に、図７に示す名前入力画面を表示する。この名前入力画面にはカタカナキー、濁点キー、半濁点キー、取消キー、訂正キーならびに確認キーおよび利用者が入力した文字を表示する領域が表示される。利用者はカタカナキー等を押下して名前を入力し、入力した名前が正しいことを確認した後、確認キーを押下する。
【００４７】
なお、本取引において取消キーは本取引を終了する場合に押下するキーであり、訂正キーは入力した文字を訂正する場合に押下するキーである。
利用者操作表示部２１で確認キーが押下されたことを検知すると取引処理部２５２は利用者操作表示部２１に、図８に示す連絡先入力画面を表示する。この連絡先入力画面には０から９までの数字キー、ハイフンキー、訂正キー、取消キーならびに確認キーおよび利用者が入力した数字等を表示する領域が表示される。利用者は数字キー等を押下して連絡先を入力し、入力した連絡先が正しいことを確認した後、確認キーを押下する。
【００４８】
利用者操作表示部２１で確認キーが押下されたことを検知すると取引処理部２５２は利用者操作表示部２１に、図９に示す暗証番号入力画面を表示する。この暗証番号入力画面には０から９までの数字キー、訂正キー、取消キーならびに確認キーおよび利用者が押下した数字キーに対応して「＊」を表示するふたつの領域が表示される。利用者は数字キー等を押下して暗証番号を２回入力し、その後確認キーを押下する。
【００４９】
ここで、利用者が入力したふたつの暗証番号が一致しないときはその旨を利用者操作表示部２１に表示し、再度の入力を利用者に促す。
利用者操作表示部２１で確認キーが押下されたことを検知し、入力されたふたつの暗証番号が一致した場合、取引処理部２５２は利用者操作表示部２１に、図１０に示す現金挿入誘導画面を表示する。この現金挿入誘導画面には「預ける現金を挿入してください」等の誘導文言および取消キーを表示し、利用者に入出金部２３の図示しない紙幣入出金口および硬貨入出金口に現金を投入することを誘導する。
【００５０】
利用者が紙幣入出金口および硬貨入出金口に現金を投入すると入出金部２３は投入された現金の計数を開始する。入出金部２３は鑑別部により紙幣および硬貨の金種等を鑑別し、計数を行う。この入出金部２３が行った計数の結果により、取引処理部２５２は利用者操作表示部２１に利用者が投入した現金の合計金額を表示する図１１に示す金額確認画面を表示する。この金額確認画面には利用者が投入した現金の合計金額、取消キーおよび確認キーを表示する。利用者は表示された金額を確認し、それが正しいときは確認キーを押下する。
【００５１】
利用者操作表示部２１で確認キーが押下されたことを検知すると取引処理部２５２は利用者により入力された名前、電話番号等の連絡先、暗証番号および計数した現金の合計金額を通信部２５３を介して一時預り金額管理コンピュータ４へ送信する。
一時預り金額管理コンピュータ４は受信した名前を氏名３１に、電話番号等の連絡先を連絡先３２に、暗証番号を暗証番号３３に、計数した現金の合計金額を預入れ金額３４に格納し、一時預りデータベース３０として記憶手段に記憶する。
【００５２】
また、利用者操作表示部２１で確認キーが押下されたことを検知すると取引処理部２５２はカードリーダプリンタ部２２で明細票に取引を行なった日付、時間、一時預り取引であることの取引種別、預入れ金額等の取引内容を印刷し、明細票排出口から排出するとともに、利用者操作表示部２１に、図１２に示す明細票受取り誘導画面を表示する。この明細票受取り誘導画面には「明細票をお取りください」等の文言を表示する。
【００５３】
ここで、利用者により入力された名前および電話番号等の連絡先を磁気ストライプ等に記録したカードをカードリーダプリンタ部２２が利用者に発行するようにしてもよい。
利用者が排出された明細票を受取ると一時預り取引の入金を終了する。
次に現金の出金処理手順について説明する。
自動取引装置１の制御部２５は利用者が接近したことを図示しないセンサにより検知すると利用者操作表示部２１に、図５に示す取引選択画面を表示する。この取引選択画面には「通帳記入」、「お預入れ」、「お支払い」、「お振込み」等の取引選択ボタンとともに「一時預り」の取引選択ボタンが表示される。利用者が取引選択画面に表示された「一時預り」ボタンを押下すると利用者操作表示部２１は該ボタンが押下されたことを検知して取引処理部２５２は一時預り取引を開始する。
【００５４】
なお、利用者が出金する自動取引装置１は一時預り取り引きで入金した自動取引装置１でなくてもよい。
取引処理部２５２は一時預り取引を開始すると利用者操作表示部２１に、図６に示す入金または出金選択画面を表示する。この入金または出金選択画面には「お預入れ」、「お支払い」の取引選択ボタンおよび取消キーを表示する。利用者が入金または出金選択画面に表示された「お支払い」ボタンを押下すると利用者操作表示部２１は該ボタンが押下されたことを検知して取引処理部２５２は出金処理を開始する。
【００５５】
取引処理部２５２が出金処理を開始すると利用者操作表示部２１に、図７に示す名前入力画面を表示する。この名前入力画面にはカタカナキー、濁点キー、半濁点キー、取消キー、訂正キーならびに確認キーおよび利用者が入力した文字を表示する領域が表示される。利用者はカタカナキー等を押下して名前を入力し、入力した名前が正しいことを確認した後、確認キーを押下する。
【００５６】
なお、本取引において取消キーは本取引を終了する場合に押下するキーであり、訂正キーは入力した文字を訂正する場合に押下するキーである。
利用者操作表示部２１で確認キーが押下されたことを検知すると取引処理部２５２は利用者操作表示部２１に、図８に示す連絡先入力画面を表示する。この連絡先入力画面には０から９までの数字キー、ハイフンキー、訂正キー、取消キーならびに確認キーおよび利用者が入力した数字等を表示する領域が表示される。利用者は数字キー等を押下して連絡先を入力し、入力した連絡先が正しいことを確認した後、確認キーを押下する。
【００５７】
ここで、利用者に名前および連絡先を入力させることなく、前述した入金処理で発行したカードをカードリーダプリンタ部２２のカード挿入口に挿入して、磁気ストライプ等に記録された名前および連絡先を読取るようにしてもよい。この場合、取引処理部２５２はカードリーダプリンタ部２２でカードから読取った名前および連絡先を利用者操作表示部２１に表示して、利用者は表示された名前および連絡先が正しいことを確認した後、確認キーを押下する。
【００５８】
利用者操作表示部２１で確認キーが押下されたことを検知すると取引処理部２５２は利用者操作表示部２１に、図１４に示す暗証番号入力画面を表示する。この暗証番号入力画面には０から９までの数字キー、訂正キー、取消キーならびに確認キーおよび利用者が押下した数字キーに対応して「＊」を表示する領域が表示される。利用者は数字キー等を押下して暗証番号を入力し、その後確認キーを押下する。
【００５９】
利用者操作表示部２１で確認キーが押下されたことを検知すると取引処理部２５２は利用者操作表示部２１に、図１５に示す出金金額確認画面を表示する。
ここで、取引処理部２５２は通信部２５３を介して利用者が利用者操作表示部２１から入力した名前、連絡先および暗証番号を一時預り金額管理コンピュータ４へ送信する。一時預り金額管理コンピュータ４は受信した名前、連絡先および暗証番号に基づいて記憶手段に記憶した一時預りデータベース３０の氏名３１、連絡先３２および暗証番号３３を検索する。一時預り金額管理コンピュータ４は検索した結果、一致したときは預入れ金額３４に記憶した金額を抽出して自動取引装置１へ送信する。自動取引装置１は受信した預入れ金額３４を利用者操作表示部２１に表示した出金金額確認画面に表示し、利用者は表示された金額が正しいことを確認し、その後確認キーを押下する。
【００６０】
なお、一致しないとき、取引処理部２５２は利用者操作表示部２１に預入金がない旨の文言を表示して本取引を終了する。
利用者操作表示部２１で確認キーが押下されたことを検知すると取引処理部２５２は入出金部２３へ出金金額に相当する現金を出金することを通知する。通知を受けた入出金部２３は現金の計数を開始するとともに利用者操作表示部２１は図１６に示す現金計数中画面を表示する。この現金計数中画面には「ただいま現金を数えています。しばらくお待ちください」等の文言を表示する。入出金部２３は計数した紙幣および／または硬貨を紙幣入出金口および／または硬貨入出金口へ集積し、利用者へ排出する準備をする。
【００６１】
入出金部２３が現金の計数を終了すると取引処理部２５２はカードリーダプリンタ部２２で明細票に取引を行なった日付、時間、一時預り取引であることの取引種別、出金金額等の取引内容を印刷した後、明細票排出口から排出する。また、入出金部２３は紙幣入出金口および／または硬貨入出金口のシャッタを開き現金を排出する。この明細票および現金の排出とともに利用者操作表示部２１は図１７に示す現金および明細票受取り誘導画面を表示する。この現金および明細票受取り誘導画面には「現金と明細票をお取りください」等の文言を表示する。
【００６２】
ここで、現金および明細票を排出すると取引処理部２５２は通信部２５３を介して一時預り金額管理コンピュータ４へ現金および明細票を排出した旨の電文を送信する。その電文を受信した一時預り金額管理コンピュータ４は記憶手段に記憶した一時預りデータベース３０の本取引に対応する氏名３１、連絡先３２、暗証番号３３および預入れ金額３４を消去する。
【００６３】
利用者が排出された現金および明細票を受取ると一時預り取引の出金を終了する。
なお、金融機関等はこの一時預り取引を提供するにあたり利用者から手数料を徴収してもよく、しなくてもどちらでもよい。手数料を徴収する場合は、入金処理時または出金処理時に徴収するようにすればよい。
また、本実施例では利用者が預け入れた現金を一度に払い出す例で説明したが、複数回に分割して払い出すようにしてもよい。
【００６４】
以上説明したように、第２の実施例では、利用者が金融機関において予め口座を開設することなく、自動取引装置の一時預り取引を利用することにより現金を一時預け入れることができ、また、その預け入れた現金を払い出すことができるという効果が得られる。
また、利用者はキャッシュカードや通帳等を所持していなくても、自動取引装置の一時預り取引を利用することにより現金を一時預け入れることができ、また、その預け入れた現金を払い出すことができるという効果が得られる。
【００６５】
さらに、利用者が現金を預け入れた自動取引装置でない自動取引装置でも預け入れた金額の現金を払い出すことができるという効果が得られる。
またさらに、一時預け入れた現金を預け入れた利用者以外の者が払い出すことも可能である。
【図面の簡単な説明】
【００６６】
【図１】第１の実施例を示すシステム構成のブロック図
【図２】第１の実施例を示す自動取引装置のブロック図
【図３】第１の実施例を示す一時預りデータベースの説明図
【図４】第１の実施例を示す一時預り取引の入金処理手順のフローチャート
【図５】第１の実施例を示す取引選択画面の説明図
【図６】第１の実施例を示す入金または出金選択画面の説明図
【図７】第１の実施例を示す名前入力画面の説明図
【図８】第１の実施例を示す連絡先入力画面の説明図
【図９】第１の実施例を示す暗証番号入力画面の説明図
【図１０】第１の実施例を示す現金挿入誘導画面の説明図
【図１１】第１の実施例を示す金額確認画面の説明図
【図１２】第１の実施例を示す明細票受取り誘導画面の説明図
【図１３】第１の実施例を示す一時預り取引の出金処理手順のフローチャート
【図１４】第１の実施例を示す暗証番号入力画面の説明図
【図１５】第１の実施例を示す出金金額確認画面の説明図
【図１６】第１の実施例を示す現金計数中画面の説明図
【図１７】第１の実施例を示す現金および明細票受取り誘導画面の説明図
【図１８】第２の実施例を示すシステム構成のブロック図
【符号の説明】
【００６７】
１    自動取引装置
２    専用回線
３    ホストコンピュータ
４    一時預り金額管理コンピュータ
２１  利用者操作表示部
２２  カードリーダプリンタ部
２３  入出金部
２４  通帳部
２５  制御部
２５１  記憶部
２５２  取引処理部
２５３  通信部
３０  一時預りデータベース
【図１】
2006209423.tif 000003
【図２】
2006209423.tif 000004
【図３】
2006209423.tif 000005
【図４】
2006209423.tif 000006
【図５】
2006209423.tif 000007
【図６】
2006209423.tif 000008
【図７】
2006209423.tif 000009
【図８】
2006209423.tif 000010
【図９】
2006209423.tif 000011
【図１０】
2006209423.tif 000012
【図１１】
2006209423.tif 000013
【図１２】
2006209423.tif 000014
【図１３】
2006209423.tif 000015
【図１４】
2006209423.tif 000016
【図１５】
2006209423.tif 000017
【図１６】
2006209423.tif 000018
【図１７】
2006209423.tif 000019
【図１８】
2006209423.tif 000020